(57)【特許請求の範囲】
【請求項１】
個人に関する情報を管理する個人ＤＢと、業者に関する情報を管理する業者ＤＢと、個人に情報閲覧を許容された業者が当該個人との間で個人ＤＢのレコード識別子及び業者ＤＢのレコード識別子を関連づける連携手段とを備え、前記業者ＤＢは業種分野のフィールドを有し、前記業者が当該システムにログインした際に、当該業者の所属するレコードの業種分野に応じて前記個人ＤＢのフィールドのうち一部のものを表示対象外とするフィルター手段を備えていることを特徴とする個人情報管理システム。
【請求項２】
前記個人ＤＢの情報が、個人、個人の所属又は個人の所在等を特定することの可能な個人特定情報と、個人特定情報以外の個人非特定情報とよりなり、前記業者を一般的な調査実施者とした場合において、前記個人特定情報を非表示とするものであることを特徴とする請求項１記載の個人情報管理システム。
【請求項３】
前記連携手段において個人ＤＢの全てのレコード識別子を対象とすることを特徴とする請求項１記載の個人情報管理システム。
【請求項４】
前記連携手段が個人ＤＢ及び業者ＤＢそれぞれのレコード識別子を有する連携ＤＢであることを特徴とする請求項１〜３のいずれかに記載の個人情報管理システム。
【請求項５】
前記フィルター手段が、前記業種分野のフィールド情報に連動して切り替わる個人ＤＢの表示のためのフォームであることを特徴とする請求項１〜４のいずれかに記載の個人情報管理システム。
【発明の詳細な説明】
【０００１】
【発明の属する技術分野】
本発明は、個人に関する情報を管理する個人情報管理システムに関するものである。
【０００２】
【従来の技術】
従来より、個人情報の管理システムは様々なものが提唱されている。そして、システムのセキュリティのために、個人や第三者が情報を閲覧する際にはＩＤとパスワードの入力が求められる。
【０００３】
しかし、第三者に開示するのに不適当な項目もあり、開示を制限するために、パスワードによる保護範囲を個別に設定するのは煩雑で実用的でない。
【０００４】
【発明が解決しようとする課題】
かかる従来の実状に鑑みて、本発明の目的はセキュリティを保持しつつ第三者に適切に情報を開示できて実用性の高い個人情報管理システムを提供することにある。
【０００５】
【課題を解決するための手段】
上記目的を達成するため、本発明に係る個人情報管理システムの特徴は、個人に関する情報を管理する個人ＤＢと、業者に関する情報を管理する業者ＤＢと、個人に情報閲覧を許容された業者が当該個人との間で個人ＤＢのレコード識別子及び業者ＤＢのレコード識別子を関連づける連携手段とを備え、前記業者ＤＢは業種分野のフィールドを有し、前記業者が当該システムにログインした際に、当該業者の所属するレコードの業種分野に応じて前記個人ＤＢのフィールドのうち一部のものを表示対象外とするフィルター手段を備えていることにある。
【０００６】
また、前記個人ＤＢの情報が、個人、個人の所属又は個人の所在等を特定することの可能な個人特定情報と、個人特定情報以外の個人非特定情報とよりなり、前記業者を一般的な調査実施者とした場合において、前記個人特定情報を非表示とするものであってもよい。この場合、前記連携手段において個人ＤＢの全てのレコード識別子を対象とするとよい。
【０００７】
より具体的には、前記連携手段が個人ＤＢ及び業者ＤＢそれぞれのレコード識別子を有する連携ＤＢであり、また、前記フィルター手段が、前記業種分野のフィールド情報に連動して切り替わる個人ＤＢの表示のためのフォームである。
【０００８】
【発明の効果】
このように、上記本発明に係るシステムの特徴によれば、個人ＤＢと業者ＤＢのレコードが連携手段で関連づけられ、業種分類に応じて個人ＤＢのフィールドがフィルター手段により開示を選択される。すなわち、あらかじめ業種分類に応じて設定された開示項目のグループを選択すれば、当該業種分類の業者に必要十分な個人情報が開示される。このグループを事前に検証することで、不要な情報開示を防ぐことができ、効率的な個人情報の活用が可能となった。
【０００９】
また、一般的なマーケティングリサーチにおいても、個人非特定情報を開示することで、プライバシーを保護しつつ効率的にマーケティングを行えるようになった。
【００１０】
本発明の他の目的、構成及び効果については以下に示す発明の実施の形態の項で明らかになるであろう。
【００１１】
【発明の実施の形態】
次に、添付図面を参照しながら、本発明をさらに詳しく説明する。
図１は本発明にかかる電子商取引（以下「ＥＣ」）サーバーの建築物管理システム１を示す図である。このＥＣサーバーの建築物管理システム１は、各コンピューター等を接続するネットワーク２と、商品情報等を管理するサーバーコンピューター３と、個人コンピューター群５と、業者コンピューター群６とを備えている。ネットワーク２は例えばＴＣＰ／ＩＰ等の通信プロトコルに従いインターネットを構成し、複数のコンピューター相互間のデーター通信を実現する。サーバーコンピューター３は複数のコンピューター群により構成してもよく、各コンピューター群５，６は、それぞれが複数の情報端末の一例であるクライアントコンピューター５ａ，６ａを備えている。
【００１２】
本実施形態では、一般家庭における個人情報の管理を例にとって説明する。本実施形態において、「業者」は個人と取引を行う商工業者等である。
【００１３】
クライアントコンピューター５ａ，６ａ及びサーバーコンピューター３は、図示省略するＣＰＵ，メモリ及びハードディスク等の記憶装置、データー及びアドレス等のバス並びにマウス、キーボード及びディスプレイ等のインターフェイスを備えている。本明細書では「データーベース」を「ＤＢ」と省略表示する。
【００１４】
サーバーコンピューター３は、複数のクライアントコンピューター５ａ，６ａからの要求に応えて後述のデーターベースをＷＷＷ（ワールドワイドウエブ）ブラウザ等により表示し、その記録内容を更新する。そして、以下に示す各手段又は構成要素がソフトウエアにより実現されている。
【００１５】
図２にサーバーコンピューター３におけるシステムブロック図を示す。コンピューター本体９内では、ハードウエアを省略してソフトウエアの構成のみを表示している。アプリケーションソフトウエアはＤＢサーバー１０とＷＷＷサーバー１１及びメールサーバ１２である。ＤＢサーバー１０はリレーショナルデーターベースアプリケーションであり、表示フォーマットを決定するフォーム１３、特定のデーター処理を行うスクリプト１４、特定条件のデーターを検索するクエリー１５が利用される。また、業者の情報を記録する業者ＤＢ３１、個人の情報を管理する個人ＤＢ３２及びこれらのＤＢを連携させるための連携ＤＢ３３とを備えている。
【００１６】
各ＤＢ３１〜３３はフォーム１３，スクリプト１４及びクエリー１５により処理され、ＷＷＷブラウザで表示されるハイパーテキスト１９と関連づけられ、ＷＷＷサーバー１１及びルーター３ａ等を介してネットワーク２（インターネット）上に公開される。
【００１７】
図２のサーバー３は、それぞれ表１〜３に示すフィールドを有する業者ＤＢ３１、個人ＤＢ３２、連携ＤＢ３３を有している。なお、以下の表１〜３の符号１０１〜３０４に示す各項目はデーターベースの構造としてのフィールドを示す。また、図３、４のｆを付した符号１０１ｆ〜２０２ｆに示す各項目は、ｆを付さない符号１０１〜２０２のフィールドにそれぞれ対応する画面に表示され又は入力を行うためのフィールドである。以下の表記では、文書短縮のために「フィールド」という語を省略する場合がある。
【００１８】
【表１】
［業者ＤＢ３１］
１０１  業者ＩＤ
１０２  業者パスワード
１０３  業者氏名・名称
１０４  業種分野
１０５  業者ｅ−ｍａｉｌアドレス
１０６  業者ＰＲ
１０７  業者ＵＲＬ
【００１９】
【表２】
［個人ＤＢ３２］
２０１  個人ＩＤ
２０２  個人パスワード
２０３  個人氏名・名称
２０４  個人住所
２０５  個人ｅ−ｍａｉｌアドレス
２０６  個人電話番号
２０７  運転免許証番号
２０８  顔写真
…
２１０  個人非特定基礎情報群
２１１  性別
２１２  年齢
２１３  職業
２１４  趣味
２１５  嗜好
２１６  居住地域
…
２２０  身体情報群
２２１  身長
２２２  体重
２２３  首周り寸法
２２４  胸囲
２２５  胴囲
２２６  腰回り寸法
…
２３０  住まいの情報群
２３１  建築年月日
２３２  基本種別
２３３  キッチン品名等
２３４  浴槽品名等
２３５  給湯器品名等
２３６  空調機品名等
２３７  間取り図
…
２４０  家族情報
２４１  家族構成
２４２  配偶者情報
２４３  長男情報
２４４  長女情報
…
２５０  健康情報
２５１  血圧等基礎情報
２５２  既往症
２５３  手術等
…
【００２０】
【表３】
［連携ＤＢ３３］
３０１  連携ＩＤ
３０２  業者ＩＤ
３０３  個人ＩＤ
３０４  連携メモ
【００２１】
上記各ＤＢにおいて、各ＩＤ１０１，２０１，３０１はインデックスフィールドであり、各レコードのユニーク性（単一性）を保つためのキー項目である。各ＩＤ１０１，２０１，３０１は、自然数が１ずつ増加するように自動付与するとよいが、業者ＩＤ１０１及び個人ＩＤ２０１については各主体のメールアドレス（ｅ−ｍａｉｌアドレス）やホームページのアドレス（ＵＲＬ）をＩＤとして用いてもよい。各パスワード１０２，個人パスワード２０２は各ＩＤ１０１，２０１に対応して自動付与される。
【００２２】
表１に示す業者ＤＢ３１は業者の基礎情報を管理するＤＢであり、業種分野１０４は「被服、不動産、リフォーム、医療」等の項目を選択入力するフィールドであり、予め設定された選択肢がドロップダウン方式で表示される。また、業者ＵＲＬ１０７には業者のＨＰへジャンプするためのＵＲＬが記録される。
【００２３】
表２に示す個人ＤＢ３２は個人の情報を管理するためのＤＢであり、フィールド２０１〜２０８等には「個人、個人の所属又は個人の所在等を特定することの可能な個人特定情報」が記録される。一方、フィールド群２１０以降には、個人特定情報以外の「個人非特定情報」が記録される。
【００２４】
フィールド群２１０には個人非特定情報のうち基礎的なものが記録され、他の個別的なものは他の情報群２２０，２３０、２４０、２５０等に記録される。居住地域２１６は都道府県又は市町村を記載するに留まる。
【００２５】
表３に示す連携ＤＢ３３には、業者ＤＢ３１の業者ＩＤ１０１と関連づけられる業者ＩＤ３０２と、個人ＤＢ３２の個人ＩＤ２０１と関連づけられる個人ＩＤ３０３とが記録される。これらは、業者ＤＢ３１と個人ＤＢ３２とのレコードを関連づけるために用いられる。また、連携メモ３０４には特定の個人と業者との間でのみ必要な情報が記録される。
【００２６】
個人と業者との関連づけは図３のような業者登録メニュー６１より行われる。特定の業者から取引の申し込みがあらかじめなされ、当該個人が特定業者を登録する。まず、個人は予め与えられた個人ＩＤ２０１ｆ，個人パスワード２０２ｆを入力し、業種分野１０４ｆからドロップダウン形式で希望業種を選択する。次に、業者氏名・名称１０３ｆにはすでに登録されている場合は、特定の業種分野１０４ｆに該当する業者名がドロップダウン形式で表示されるので、希望の業者を選択する。業者自体が登録されていない場合は、業者氏名・名称１０３ｆに業者名を記載し、業者ｅ−ｍａｉｌアドレス１０５ｆも記載して新規登録ボタン５１を押す。これにより、連携ＤＢ３３に新たなレコードが登録され、また、当該業者が新規登録の場合は、業者ＤＢ３１に新たなレコードが追加登録される。これらの登録作業により、特定業者は特定個人に情報の閲覧を許可される。
【００２７】
次に、図４，７を参照しながら、業者による情報の閲覧手順を説明する。まず、業者は業者ＩＤ１０１ｆ、業者パスワード１０２ｆを記入し、新規登録ボタン５１を押すことで、業者情報が入力され（ステップＳ１）、スクリプト１４とクエリー１５を介して該当する業者レコードが検索される（ステップＳ２）。そして、同様にスクリプト１４，クエリー１５により先の連携ＤＢ３３を利用して対応個人レコードが求められ（ステップＳ３）ると共に業種分類に対応する表示フォームが選択される（ステップＳ４）。そして、図４の下に示す個人情報表示メニュー６３ａの如く業種に対応した適切なフォームにより該当レコードの必要フィールドが表示される（ステップＳ５）。すなわち、適切に選択されるフォームが情報を一部表示対象外とするフィルターとして機能する。
【００２８】
図４に示す個人情報表示メニュー６３ａは「被服」の業種分野１０４ｆに対応したフィールド群２１０ｆ、２２０ｆがフィールド群５５内に表示される。スクロールバー５６はさらに下方に表示される情報を表示させる際に使用する。業者氏名・名称１０３ｆには当該検索を行った業者が表示される。また、連携メモ３０４ｆには、特定の個人氏名・名称２０３ｆと業者氏名・名称１０３ｆとの間において必要な情報が記録される。前画面戻りボタン５３は業者ログインメニュー６２への復帰ボタン、前レコード切替ボタン５７ａ，後レコード切替ボタン５７ｂはそれぞれ当該業者氏名・名称１０３ｆが閲覧を許可された他の個人氏名・名称２０３ｆのレコードへ移動するためのボタンである。特に、業者が特定の個人氏名・名称２０３ｆを探したい場合には、検索ボタン５８を押し個人氏名・名称２０３ｆへ記入を行い、図示しないキーボードの改行入力で該当個人氏名・名称２０３ｆの情報が表示される。
【００２９】
図５に示す個人情報表示メニュー６３ｂは「リフォーム」の業種分野１０４ｆに対応したフィールド群２３０ｆ、家族情報２４０ｆがフィールド群５５内に表示される。例えば、基本種別２３２ｆには「４ＬＤＫマンション、５ＬＤＫ二階建」等の情報が表示され、建築年月日２３１ｆや長男情報２４３ｆ，長女情報２４４ｆの年齢情報を参考にして、リフォーム案を企画提案することが可能となる。
【００３０】
図６に示す個人情報表示メニュー６３ｃはマーケティングや公共調査に個人非特定情報を用いる場合のフォームであり、フィールド２０１〜２０８等の個人特定情報は表示されない。また、個人特定情報以外の全てを表示する業者ＩＤ１０１及び業種分野１０４の組み合わせと、目的に応じて一部の個人非特定情報を表示する業者ＩＤ１０１及び業種分野１０４の組み合わせを予め設定してあり、その設定に応じてフォームも準備される。
【００３１】
図６に示した個人情報表示メニュー６３ｃの例では、業者氏名・名称１０３ｆに調査実施者として「医療調査者」が設定され、関連する業種分野１０４ｆとして「医療」関連情報が設定されている。また、検索ボタン５８と居住地域２１６ｆとの組み合わせにより地域検索が可能である。フィールド群５５には情報群２１０ｆとして性別２１１ｆ、年齢２１２ｆ等が、情報群２２０ｆとして身長２２１ｆ、体重２２２ｆ等が、健康情報２５０ｆとして血圧等基礎情報２５１ｆ、既症状２５２ｆ、手術等２５３ｆ等がそれぞれ表示される。そして、これらの情報を利用して例えば地域の血圧と健康状況との相関を調査すること等が可能となる。
【００３２】
最後に、本発明のさらに他の実施形態の可能性等について言及する。
上記実施形態では、情報の開示範囲を決定するフィルター手段として数種類のフォームを用いた。しかし、このフィルター手段としては、上記個人ＤＢ３２を図２の破線に示すように複数のＤＢ３２，３４，３５に分割し、業種分野１０４の内容に応じて適切なＤＢを選択し表示させるスクリプトファイル１４により構成しても構わない。この場合、例えば、個人ＤＢ３２を表４の如く構成し、表５，６に示す３４，３５を適宜業種分野１０４に応じて選択表示すればよい。
【００３３】
【表４】
［個人ＤＢ３２］
２０１  個人ＩＤ
２０２  個人パスワード
２０３  個人氏名・名称
２０４  個人住所
２０５  個人ｅ−ｍａｉｌアドレス
２０６  個人電話番号
２０７  運転免許証番号
２０８  顔写真
…
【００３４】
【表５】
［第二個人ＤＢ３４］（個人非特定基礎情報群）
２１０ａ  基礎情報ＩＤ
２１０ｂ  個人ＩＤ
２１１  性別
２１２  年齢
２１３  職業
２１４  趣味
２１５  嗜好
…
【００３５】
【表６】
［第三個人ＤＢ３５］（身体情報）
２２０ａ  身体情報ＩＤ
２２０ｂ  個人ＩＤ
２２１  身長
２２２  体重
２２３  首周り寸法
２２４  胸囲
２２５  胴囲
２２６  腰回り寸法
…
【００３６】
上述の「一般的な調査実施者」には、営利目的のマーケティングを行う者の他、非営利の調査を行う者も含まれる。
【００３７】
請求項２において、前記個人ＤＢの情報における、個人、個人の所属又は個人の所在等を特定することの可能な個人特定情報と、個人特定情報以外の個人非特定情報との区別を付した。これら２つの区別は、２区分の情報の表示を制御する技術思想自体に技術的範囲が求められるのであって、個人特定情報であるか否かは個別事案によって異なる場合がありうる。
【００３８】
上記実施形態では、個人及び業者がコンピューター５，６を介してサーバー３に接続した。しかし、これらの者は、コンピュータのみならず、携帯電話やＰＤＡ等の情報端末でサーバー３に接続することも可能である。本発明は、情報端末であるクライアントからサーバーにアクセスし処理を行うクライアントサーバーシステムとして構築され得る。
【図面の簡単な説明】
【図１】個人情報管理システムの説明図である。
【図２】個人情報管理システムのサーバーにおけるソフトウエア構成を示す説明図である。
【図３】業者の登録メニューである。
【図４】業者ログインとこれによる個人情報の閲覧メニューである。
【図５】他の個人情報の閲覧メニューである。
【図６】個人非特定情報の閲覧メニューである。
【図７】個人情報表示手順を示すフローチャートである。
【符号の説明】
１    個人情報管理システム
２    ネットワーク
３    サーバーコンピューター
３ａ  ルーター
５    個人コンピューター群
６    業者コンピューター群
５ａ，６ａ  クライアントコンピューター
９    コンピューター本体
１０    ＤＢサーバー
１１    ＷＷＷサーバー
１２    メールサーバー
１３    フォームファイル
１４    スクリプトファイル
１５    クエリーファイル
１９    ハイパーテキスト
２０    メーリングリスト
３１    業者ＤＢ
３２    個人ＤＢ
３３    連携ＤＢ
３４    第二個人ＤＢ
３５    第三個人ＤＢ
５０    表示画面
５１    新規登録ボタン
５２    キャンセルボタン
５３    前画面戻りボタン
５４    個別フィールド
５５    フィールド群
５６    スクロールバー
５７ａ  前レコード切替ボタン
５７ｂ  後レコード切替ボタン
５８    検索ボタン
６１    業者登録メニュー
６２    業者ログインメニュー
６３ａ〜ｃ    個人情報表示メニュー
【図１】
0003696836.tif 000002
【図２】
0003696836.tif 000003
【図３】
0003696836.tif 000004
【図４】
0003696836.tif 000005
【図５】
0003696836.tif 000006
【図６】
0003696836.tif 000007
【図７】
0003696836.tif 000008